(57)【要約】【課題】アラーム設定時刻に確実に覚醒させることができ、簡単な構造でコストを低く抑えることができるアラーム付き時計装置を供する。【解決手段】アラーム設定手段２２と、アラーム音発生手段２６と、アラーム時刻の到来でアラーム音を発生するアラーム音発生制御手段３２とを備えたアラーム付き時計装置において、表示状態が変動する変動表示手段１０と、アラーム時刻の到来で変動表示を開始する変動表示開始制御手段３３と、アラーム状態を停止させる操作を検知するアラーム停止操作検知手段２４と、変動表示手段１０が所定表示状態になった時を検知する所定表示状態検知手段３５と、所定表示状態検知手段３５が前記所定表示状態を検知してから所定時間内に前記アラーム停止操作検知手段が停止操作を検知したか否かを判断する判断手段３６と、判断手段３６が前記所定時間内に停止操作があったと判断したときはアラーム音発生手段２６のアラーム音の発生を停止するとともに変動表示手段１０の変動表示を停止するアラーム停止制御手段３７とを備えたアラーム付き時計装置。【選択図】　図４
2004093328.tif 000002
【特許請求の範囲】
【請求項１】
アラーム時刻を設定するアラーム設定手段と、
アラーム音を発生させるアラーム音発生手段と、
前記アラーム設定手段により設定されたアラーム時刻の到来で前記アラーム音発生手段を駆動してアラーム音を発生するアラーム音発生制御手段とを備えたアラーム付き時計装置において、
表示状態が変動する変動表示手段と、
前記アラーム設定手段により設定されたアラーム時刻の到来で前記変動表示手段を駆動して変動表示を開始する変動表示開始制御手段と、
アラーム状態を停止させる操作を検知するアラーム停止操作検知手段と、
前記変動表示手段が所定表示状態になった時を検知する所定表示状態検知手段と、
前記所定表示状態検知手段が前記所定表示状態を検知してから所定時間内に前記アラーム停止操作検知手段が停止操作を検知したか否かを判断する判断手段と、
前記判断手段が前記所定時間内に停止操作があったと判断したときは前記アラーム音発生手段のアラーム音の発生を停止するとともに前記変動表示手段の変動表示を停止するアラーム停止制御手段とを備えたことを特徴とするアラーム付き時計装置。
【請求項２】
アラーム時刻を設定するアラーム設定手段と、
アラーム音を発生させるアラーム音発生手段と、
前記アラーム設定手段により設定されたアラーム時刻の到来で前記アラーム音発生手段を駆動してアラーム音を発生するアラーム音発生制御手段とを備え、
文字盤上を針が回転して時刻を指示するアラーム付き時計装置において、
前記文字盤上の目盛に沿って環状に配列された電光発生手段を順次点灯または点滅させて変動表示する変動表示手段と、
前記アラーム設定手段により設定されたアラーム時刻の到来で前記変動表示手段を駆動して変動表示を開始する変動表示開始制御手段と、
アラーム状態を停止させる操作を検知するアラーム停止操作検知手段と、
前記変動表示手段が所定表示状態になった時を検知する所定表示状態検知手段と、
前記所定表示状態検知手段が前記所定表示状態を検知してから所定時間内に前記アラーム停止操作検知手段が停止操作を検知したか否かを判断する判断手段と、
前記判断手段が前記所定時間内に停止操作があったと判断したときは前記アラーム音発生手段のアラーム音の発生を停止するとともに前記変動表示手段の変動表示を停止するアラーム停止制御手段とを備えたことを特徴とするアラーム付き時計装置。
【請求項３】
アラーム時刻を設定するアラーム設定手段と、
アラーム音を発生させるアラーム音発生手段と、
前記アラーム設定手段により設定されたアラーム時刻の到来で前記アラーム音発生手段を駆動してアラーム音を発生するアラーム音発生制御手段とを備え、
表示画面に文字盤像と回転する針像が表示されて時刻を指示するアラーム付き時計装置において、
前記文字盤像上の文字の形状または色などを順次変更させて変動表示する変動表示手段と、
前記アラーム設定手段により設定されたアラーム時刻の到来で前記変動表示手段を駆動して変動表示を開始する変動表示開始制御手段と、
アラーム状態を停止させる操作を検知するアラーム停止操作検知手段と、
前記変動表示手段が所定表示状態になった時を検知する所定表示状態検知手段と、
前記所定表示状態検知手段が前記所定表示状態を検知してから所定時間内に前記アラーム停止操作検知手段が停止操作を検知したか否かを判断する判断手段と、
前記判断手段が前記所定時間内に停止操作があったと判断したときは前記アラーム音発生手段のアラーム音の発生を停止するとともに前記変動表示手段の変動表示を停止するアラーム停止制御手段とを備えたことを特徴とするアラーム付き時計装置。
【請求項４】
アラーム時刻を設定するアラーム設定手段と、
アラーム音を発生させるアラーム音発生手段と、
前記アラーム設定手段により設定されたアラーム時刻の到来で前記アラーム音発生手段を駆動してアラーム音を発生するアラーム音発生制御手段とを備え、
表示画面に数字で時刻表示するアラーム付き時計装置において、
前記表示画面の数字を前記時刻表示より速い速度で順次変更させて変動表示する変動表示手段と、
前記アラーム設定手段により設定されたアラーム時刻の到来で前記変動表示手段を駆動して変動表示を開始する変動表示開始制御手段と、
アラーム状態を停止させる操作を検知するアラーム停止操作検知手段と、
前記変動表示手段が所定表示状態になった時を検知する所定表示状態検知手段と、
前記所定表示状態検知手段が前記所定表示状態を検知してから所定時間内に前記アラーム停止操作検知手段が停止操作を検知したか否かを判断する判断手段と、
前記判断手段が前記所定時間内に停止操作があったと判断したときは前記アラーム音発生手段のアラーム音の発生を停止するとともに前記変動表示手段の変動表示を停止するアラーム停止制御手段とを備えたことを特徴とするアラーム付き時計装置。
【請求項５】
前記所定表示状態検知手段が検知する所定表示状態を前記アラーム設定手段が設定したアラーム時刻に相当する表示状態とすることを特徴とする請求項１または請求項４記載のアラーム付き時計装置。
【請求項６】
前記所定表示状態検知手段が検知する所定表示状態を入力操作により設定する所定表示状態設定手段を備えたことを特徴とする請求項１から請求項４までのいずれかの項記載のアラーム付き時計装置。
【請求項７】
前記変動表示手段は、一定周期で表示を変動して循環表示することを特徴とする請求項１から請求項６までのいずれかの項記載のアラーム付き時計装置。
【請求項８】
前記変動表示手段は、不定周期で表示を変動して循環表示することを特徴とする請求項１から請求項６までのいずれかの項記載のアラーム付き時計装置。
【請求項９】
前記変動表示手段が変動表示されるときは、前記アラーム音発生制御手段は前記アラーム音発生手段を制御して前記変動表示手段の動きに同期してアラーム音を変化させることを特徴とする請求項１から請求項８までのいずれかの項記載のアラーム付き時計装置。
【請求項１０】
前記請求項１から請求項９までのいずれかの項記載のアラーム付き時計装置を備えることを特徴とする電子装置。
【請求項１１】
アラーム時刻の入力によりアラーム時刻を設定する手順と、
設定されたアラーム時刻の到来を検知する手順と、
アラーム時刻の到来を検知するとアラーム音を発生する手順と、
アラーム時刻の到来を検知すると変動表示を開始する手順と、
前記変動表示が所定表示状態になったことを検知する手順と、
前記所定表示状態を検知してから所定時間内に停止操作があったか否かを判断する手順と、
前記所定時間内に停止操作があったと判断したときは前記アラーム音と前記変動表示を停止する手順と、
をコンピュータに実行させるアラーム付き時計のアラーム制御プログラム。
【請求項１２】
アラーム時刻の入力によりアラーム時刻を設定する手順と、
設定されたアラーム時刻の到来を検知する手順と、
アラーム時刻の到来を検知するとアラーム音を発生する手順と、
アラーム時刻の到来を検知すると時刻表示とは別の変動表示を開始する手順と、
前記変動表示が所定表示状態になったことを検知する手順と、
前記所定表示状態を検知してから所定時間内に停止操作があったか否かを判断する手順と、
前記所定時間内に停止操作があったと判断したときは前記アラーム音と前記変動表示を停止する手順と、
をコンピュータに実行させるアラーム制御プログラムを記録したコンピュータ読み取り可能な記録媒体。
【請求項１３】
アラーム時刻を設定し、
設定されたアラーム時刻が到来したらアラーム音を発生するとともに変動表示を開始し、
前記変動表示が所定表示状態になった時から所定時間内に停止操作があると前記アラーム音と前記変動表示を停止することを特徴とするアラーム付き時計のアラーム制御方法。
【発明の詳細な説明】
【０００１】
【発明の属する技術分野】
本発明は、アラーム付き時計のアラーム制御に関する。
【０００２】
【従来の技術】
アラーム付き時計は、設定時刻になるとアラーム音が発生して目覚めさせる時計であり、アラーム音を停止させるためアラーム停止ボタンを押すようになっている。
【０００３】
しかしアラーム音は簡単に停止させることができるため、半覚醒のままアラーム停止ボタンを押して再び寝入ってしまうことがある。
そこで一度アラーム音を停止しても何分か後に再びアラーム音を発生し、アラーム設定を解除しない限り繰り返しアラーム音を発生するものがある。
【０００４】
またアラーム音を停止させる条件として運動を強制する方法（特開平２−６７９９０号公報）や時計の外装から出没する被打撃物をタイミング良く打撃することによりアラーム音を停止させるもの（特許第２６９５６８５号公報）などが提案されている。
【０００５】
【発明が解決しようとする課題】
しかし前者の場合、アラーム音を繰り返し停止させて確実に目覚めたときには、アラーム設定時刻から相当遅れた時間となってしまうおそれがある。
また後者の例の場合、時計装置に大掛かりな運動機器等を設けなくてはならず大型で複雑な構造となり、大幅なコスト高となる。
【０００６】
本発明は、斯かる点に鑑みなされたもので、その目的とする処は、アラーム設定時刻に確実に覚醒させることができ、簡単な構造でコストを低く抑えることができるアラーム付き時計装置を供する点にある。
【０００７】
【課題を解決するための手段及び作用効果】
上記目的を達成するために、本請求項１記載の発明は、アラーム時刻を設定するアラーム設定手段と、アラーム音を発生させるアラーム音発生手段と、前記アラーム設定手段により設定されたアラーム時刻の到来で前記アラーム音発生手段を駆動してアラーム音を発生するアラーム音発生制御手段とを備えたアラーム付き時計装置において、表示状態が変動する変動表示手段と、前記アラーム設定手段により設定されたアラーム時刻の到来で前記変動表示手段を駆動して変動表示を開始する変動表示開始制御手段と、アラーム状態を停止させる操作を検知するアラーム停止操作検知手段と、前記変動表示手段が所定表示状態になった時を検知する所定表示状態検知手段と、前記所定表示状態検知手段が前記所定表示状態を検知してから所定時間内に前記アラーム停止操作検知手段が停止操作を検知したか否かを判断する判断手段と、前記判断手段が前記所定時間内に停止操作があったと判断したときは前記アラーム音発生手段のアラーム音の発生を停止するとともに前記変動表示手段の変動表示を停止するアラーム停止制御手段とを備えたアラーム付き時計装置とした。
【０００８】
設定されたアラーム時刻となるとアラーム音が発生するとともに変動表示手段が変動表示を開始するので、使用者は変動表示手段の変動表示を見ながら所定表示状態になったときに所定時間内に停止操作を行うことによりアラーム音の発生を停止するとともに変動表示手段の変動表示を停止することができる。
【０００９】
したがって使用者はアラーム音を停止させるために、変動表示手段を注視して停止操作を行わなければならないので、この作業のためにアラーム時刻に確実に覚醒することができる。
【００１０】
アラーム時計に変動表示手段とその制御手段を備えるだけでよいので、構造が簡単で小型化でき、コストを低く抑えることができる。
【００１１】
請求項２記載の発明は、アラーム時刻を設定するアラーム設定手段と、アラーム音を発生させるアラーム音発生手段と、前記アラーム設定手段により設定されたアラーム時刻の到来で前記アラーム音発生手段を駆動してアラーム音を発生するアラーム音発生制御手段とを備え、文字盤上を針が回転して時刻を指示するアラーム付き時計装置において、前記文字盤上の目盛に沿って環状に配列された電光発生手段を順次点灯または点滅させて変動表示する変動表示手段と、前記アラーム設定手段により設定されたアラーム時刻の到来で前記変動表示手段を駆動して変動表示を開始する変動表示開始制御手段と、アラーム状態を停止させる操作を検知するアラーム停止操作検知手段と、前記変動表示手段が所定表示状態になった時を検知する所定表示状態検知手段と、前記所定表示状態検知手段が前記所定表示状態を検知してから所定時間内に前記アラーム停止操作検知手段が停止操作を検知したか否かを判断する判断手段と、前記判断手段が前記所定時間内に停止操作があったと判断したときは前記アラーム音発生手段のアラーム音の発生を停止するとともに前記変動表示手段の変動表示を停止するアラーム停止制御手段とを備えたアラーム付き時計装置である。
【００１２】
文字盤上を針が回転して時刻を指示するアラーム付き時計装置において、設定されたアラーム時刻となるとアラーム音が発生するとともに変動表示手段が文字盤上の目盛に沿って環状に配列された電光発生手段が順次点灯または点滅して変動表示を開始するので、使用者はこの順次点灯または点滅する変動表示を見ながら所定表示状態になったときに所定時間内に停止操作を行うことによりアラーム音の発生を停止するとともに電光発生手段の順次点灯または点滅表示を停止することができる。
【００１３】
したがってアラーム時刻に確実に覚醒させることができ、電光発生手段の配列やその制御手段は簡単な構造で小型化でき、コストを低く抑えることができる。
【００１４】
請求項３記載の発明は、アラーム時刻を設定するアラーム設定手段と、アラーム音を発生させるアラーム音発生手段と、前記アラーム設定手段により設定されたアラーム時刻の到来で前記アラーム音発生手段を駆動してアラーム音を発生するアラーム音発生制御手段とを備え、表示画面に文字盤像と回転する針像が表示されて時刻を指示するアラーム付き時計装置において、前記文字盤像上の文字の形状または色などを順次変更させて変動表示する変動表示手段と、前記アラーム設定手段により設定されたアラーム時刻の到来で前記変動表示手段を駆動して変動表示を開始する変動表示開始制御手段と、アラーム状態を停止させる操作を検知するアラーム停止操作検知手段と、前記変動表示手段が所定表示状態になった時を検知する所定表示状態検知手段と、前記所定表示状態検知手段が前記所定表示状態を検知してから所定時間内に前記アラーム停止操作検知手段が停止操作を検知したか否かを判断する判断手段と、前記判断手段が前記所定時間内に停止操作があったと判断したときは前記アラーム音発生手段のアラーム音の発生を停止するとともに前記変動表示手段の変動表示を停止するアラーム停止制御手段とを備えたアラーム付き時計装置である。
【００１５】
表示画面に文字盤像と回転する針像が表示されて時刻を指示するアラーム付き時計装置において、設定されたアラーム時刻となるとアラーム音が発生するとともに変動表示手段が文字盤像上の文字の形状または色などを順次変更させて変動表示を開始するので、使用者は文字の形状または色の変動表示を見ながら所定表示状態になったときに所定時間内に停止操作を行うことによりアラーム音の発生を停止するとともに変動表示手段の変動表示を停止することができる。
【００１６】
したがってアラーム時刻に確実に覚醒させることができ、表示画面の文字の形状または色などを順次変更させる制御手段は簡単でソフトウエアで構築して場所をとらず、コストを低く抑えることができる。
【００１７】
請求項４記載の発明は、アラーム時刻を設定するアラーム設定手段と、アラーム音を発生させるアラーム音発生手段と、前記アラーム設定手段により設定されたアラーム時刻の到来で前記アラーム音発生手段を駆動してアラーム音を発生するアラーム音発生制御手段とを備え、表示画面に数字で時刻表示するアラーム付き時計装置において、前記表示画面の数字を前記時刻表示より速い速度で順次変更させて変動表示する変動表示手段と、前記アラーム設定手段により設定されたアラーム時刻の到来で前記変動表示手段を駆動して変動表示を開始する変動表示開始制御手段と、アラーム状態を停止させる操作を検知するアラーム停止操作検知手段と、前記変動表示手段が所定表示状態になった時を検知する所定表示状態検知手段と、前記所定表示状態検知手段が前記所定表示状態を検知してから所定時間内に前記アラーム停止操作検知手段が停止操作を検知したか否かを判断する判断手段と、前記判断手段が前記所定時間内に停止操作があったと判断したときは前記アラーム音発生手段のアラーム音の発生を停止するとともに前記変動表示手段の変動表示を停止するアラーム停止制御手段とを備えたアラーム付き時計装置である。
【００１８】
表示画面に数字で時刻表示するアラーム付き時計装置において、設定されたアラーム時刻となるとアラーム音が発生するとともに変動表示手段が表示画面の数字を時刻表示より速い高速度で順次変更して変動表示を開始するので、使用者はこの数字の高速変動表示を見ながら所定表示状態になったときに所定時間内に停止操作を行うことによりアラーム音の発生を停止するとともに数字の高速変動表示を停止し元の時刻表示に戻すことができる。
【００１９】
したがってアラーム時刻に確実に覚醒させることができ、電光発生手段の配列やその制御手段は簡単な構造で小型化でき、コストを低く抑えることができる。
【００２０】
請求項５記載の発明は、請求項１または請求項４記載のアラーム付き時計装置において、前記所定表示状態検知手段が検知する所定表示状態を前記アラーム設定手段が設定したアラーム時刻に相当する表示状態とすることを特徴とする。
【００２１】
変動表示手段が時刻相当の表示が可能な場合、アラームを停止させる操作タイミングを決める所定表示状態を設定したアラーム時刻に相当する表示とすることで、アラーム停止条件を忘れたり間違えたりすることを防止することができ使い易くすることができる。
【００２２】
請求項６記載の発明は、請求項１から請求項４までのいずれかの項記載のアラーム付き時計装置において、前記所定表示状態検知手段が検知する所定表示状態を入力操作により設定する所定表示状態設定手段を備えたことを特徴とする。
【００２３】
アラームを停止させる操作タイミングを決める所定表示状態を、使用者が自らの好みにより自由に設定することができる。
【００２４】
請求項７記載の発明は、請求項１から請求項６までのいずれかの項記載のアラーム付き時計装置において、前記変動表示手段が、一定周期で表示を変動して循環表示することを特徴とする。
【００２５】
変動表示手段は一定周期で表示を変動するので、所定表示状態の表示タイミングを捉え易く、アラーム停止操作を容易にすることができる。
循環表示するのでアラーム停止操作は何度も機会がある。
【００２６】
請求項８記載の発明は、請求項１から請求項６までのいずれかの項記載のアラーム付き時計装置において、前記変動表示手段が、不定周期で表示を変動して循環表示することを特徴とする。
【００２７】
変動表示手段が、不定周期で表示を変動するので、所定表示状態の表示タイミングを捉えることが容易ではないので、より神経を集中する必要があり、確実に覚醒を促すことができる。
循環表示するのでアラーム停止操作は何度も機会があり、ある程度アラーム停止操作を難しくしてもいずれ成功するようにすることができる。
【００２８】
請求項９記載の発明は、請求項１から請求項８までのいずれかの項記載のアラーム付き時計装置において、前記変動表示手段が変動表示されるときは、前記アラーム音発生制御手段は前記アラーム音発生手段を制御して前記変動表示手段の動きに同期してアラーム音を変化させることを特徴とする。
【００２９】
変動表示手段の動きに同期してアラーム音を変化させることで、所定表示状態の表示タイミングを捉え易く、アラーム停止操作を容易にすることができる。
【００３０】
請求項１０記載の発明は、前記請求項１から請求項９までのいずれかの項記載のアラーム付き時計装置を備えることを特徴とする電子装置。
【００３１】
請求項１から請求項９までのいずれかの項記載のアラーム付き時計装置を一部に装備された電子装置に適用できる。
【００３２】
請求項１１記載の発明は、アラーム時刻の入力によりアラーム時刻を設定する手順と、設定されたアラーム時刻の到来を検知する手順と、アラーム時刻の到来を検知するとアラーム音を発生する手順と、アラーム時刻の到来を検知すると変動表示を開始する手順と、前記変動表示が所定表示状態になったことを検知する手順と、前記所定表示状態を検知してから所定時間内に停止操作があったか否かを判断する手順と、前記所定時間内に停止操作があったと判断したときは前記アラーム音と前記変動表示を停止する手順とをコンピュータに実行させるアラーム付き時計のアラーム制御プログラムである。
【００３３】
該アラーム制御プログラムにより、設定されたアラーム時刻となるとアラーム音が発生するとともに変動表示を開始し、変動表示が所定表示状態になったときに所定時間内に停止操作があったと判断したとき、アラーム音の発生を停止するとともに変動表示手段の変動表示を停止することができる。
【００３４】
請求項１２記載の発明は、アラーム時刻の入力によりアラーム時刻を設定する手順と、設定されたアラーム時刻の到来を検知する手順と、アラーム時刻の到来を検知するとアラーム音を発生する手順と、アラーム時刻の到来を検知すると時刻表示とは別の変動表示を開始する手順と、前記変動表示が所定表示状態になったことを検知する手順と、前記所定表示状態を検知してから所定時間内に停止操作があったか否かを判断する手順と、前記所定時間内に停止操作があったと判断したときは前記アラーム音と前記変動表示を停止する手順とをコンピュータに実行させるアラーム制御プログラムを記録したコンピュータ読み取り可能な記録媒体である。
【００３５】
該記録媒体により、設定されたアラーム時刻となるとアラーム音が発生するとともに変動表示を開始し、変動表示が所定表示状態になったときに所定時間内に停止操作があったと判断したとき、アラーム音の発生を停止するとともに変動表示手段の変動表示を停止することができる。
【００３６】
請求項１３記載の発明は、アラーム時刻を設定し、設定されたアラーム時刻が到来したらアラーム音を発生するとともに変動表示を開始し、前記変動表示が所定表示状態になった時から所定時間内に停止操作があると前記アラーム音と前記変動表示を停止するアラーム付き時計のアラーム制御方法である。
【００３７】
設定されたアラーム時刻にアラーム音を発生するとともに変動表示を開始し、変動表示が所定表示状態になった時から所定時間内に停止操作があるとアラーム音と変動表示を停止するので、変動表示を注視してアラーム停止操作することになり、アラーム時刻に確実に覚醒させることができる。
【００３８】
【発明の実施の形態】
以下本発明に係る一実施の形態について図１ないし図５に基づき説明する。
【００３９】
本実施の形態に係るアラーム付き時計１は、指針式アナログ置き時計であり、図１に示すように円形の文字盤２上を時針３と分針４が回転して文字盤２の目盛を指示して時刻を示す。
文字盤２上には時針３と分針４と同軸でアラーム時刻設定用針５が設けられている。
【００４０】
アラーム付き時計１の裏面には図２に示すように時刻合せ用円板６、アラーム時刻設定用つまみ７、アラーム設定用切換スイッチ８が設けられ、上端面にアラーム停止用押しボタン９が配設されている。
【００４１】
そして文字盤２の目盛の外周に各時刻目盛に対応して１２個のＬＥＤ１０が配列されている（図１参照）。
駆動源として電池が嵌挿され、水晶振動子により計時するクオーツ時計である。
【００４２】
以上のようなアラーム付き時計１における制御系のブロック図を図３に示す。時計機構としては、水晶発振器１２の発振周波数を分周器１３で分周して所定回転数で回転駆動手段１４を回転駆動し、回転駆動手段１４の回転により輪列機構である指針駆動機構１５を駆動して時針３と分針４を回転して時刻を指し示す。
【００４３】
アラーム制御は、制御用マイクロコンピュータ２０により実行される。
時刻合せ用円板６の操作入力は、直接前記指針駆動機構１４に作用して時針３と分針４を合せるとともに、時刻合せ用回転センサ２１により回転量が検出され、その検出信号は制御用マイクロコンピュータ２０に入力される。
【００４４】
またアラーム時刻設定用つまみ７の操作は、アラーム時刻設定用針５を直接回動するとともに、アラーム時刻設定用回転センサ２２によりその回転角が検出され、検出信号は制御用マイクロコンピュータ２０に入力される。
【００４５】
同様にアラーム設定用切換スイッチ８とアラーム停止用押しボタン９の操作は、それぞれアラーム設定用スイッチ回路２３およびアラーム停止用スイッチ回路２４により検知されて、その検知信号が制御用マイクロコンピュータ２０に入力される。
【００４６】
制御用マイクロコンピュータ２０は、信号処理して音声ドライバ２５に制御信号を出力し、音声ドライバ２５により内蔵のスピーカ２６が駆動されアラーム音を発生する。
また制御用マイクロコンピュータ２０は、表示ドライバ２７に制御信号を出力し、表示ドライバ２７により前記１２個のＬＥＤ１０の点滅制御がなされる。
【００４７】
この制御用マイクロコンピュータ２０の働きを説明するための機能説明図を図４に示し説明する。
アラーム時刻設定用回転センサ２２およびアラーム設定用スイッチ回路２３からの信号を入力すると、アラーム設定手段３１が入力されたアラーム時刻を設定する。
【００４８】
このアラーム設定手段３１により設定されたアラーム時刻にアラーム音を発生させるアラーム音発生制御手段３２が制御信号を音声ドライバ２５に出力してアラーム音を制御している。
【００４９】
またアラーム設定手段３１により設定されたアラーム時刻にＬＥＤ１０を点滅変動表示するＬＥＤ点滅表示制御手段３３を備え、ＬＥＤ点滅表示制御手段３３により表示ドライバ２７に制御信号が出力され、１２個のＬＥＤ１０が一定周期で順次点滅して点灯箇所が周回しているように制御される。
【００５０】
制御用マイクロコンピュータ２０は、所定表示状態設定手段３４を備え、アラーム停止のためのタイミングを決める１２個のＬＥＤ１０の所定表示状態を設定する。
本アラーム付き時計１では所定表示状態設定手段３４はアラーム設定手段３１により設定されたアラーム時刻に対応するＬＥＤ１０のみが点灯する表示状態が設定されるようになっている。
【００５１】
制御用マイクロコンピュータ２０は、この所定表示状態設定手段３４が設定した所定表示状態をＬＥＤ点滅表示制御手段３３からの信号を監視して検知する所定表示状態検知手段３５を備えている。
【００５２】
そして判断手段３６を有し、所定表示状態検知手段３５がＬＥＤ１０の所定表示状態を検知したのち所定時間内に前記アラーム停止用スイッチ回路２４からアラーム停止操作信号があるか否かを判断して、所定時間内に同信号があるとアラーム停止制御手段３７に停止信号を出力する。
【００５３】
アラーム停止制御手段３７は、音声ドライバ２５と表示ドライバ２７を制御してアラーム音の発生とＬＥＤ１０の点滅変動表示を停止させる。
【００５４】
以上のような機能を有する制御用マイクロコンピュータ２０によるアラーム制御に関する作業手順を図５にフローチャートで示し説明する。
まずステップ１においてアラーム設定状態にあるか否かが判断される。
【００５５】
すなわちアラーム設定用切換スイッチ８が「入」側に操作されてアラーム設定用スイッチ回路２３がオンしていればアラーム設定状態にある。
アラーム設定状態にあれば次のステップ２に進みアラーム時刻が到来したか否かを判断し、アラーム時刻が到来するまではステップ１に戻る。
アラーム時刻はアラーム時刻設定用つまみ７により予め設定される。
【００５６】
そしてアラーム時刻が到来するとステップ３に進み、アラーム音を発生し、略同時にＬＥＤ１０の点滅変動表示を開始する（ステップ４）。
すると１２個のＬＥＤ１０の表示状態が所定表示状態になったか否かを検知する（ステップ５）。
【００５７】
ここで所定表示状態とは、前記したように設定されたアラーム時刻に対応するＬＥＤ１０のみが点灯している表示状態であり、該所定表示状態が検知されると所定時間を計時するタイマーがスタートし（ステップ６）、タイムアップする（ステップ８）までの所定時間内に、停止操作があるか否かすなわちアラーム停止用押しボタン９が押されアラーム停止用スイッチ回路２４がオンするか否かを判断する（ステップ７）。
【００５８】
この所定時間は一定周期で順次点滅し循環する１２個のＬＥＤ１０の各ＬＥＤ１０が点灯している間の時間としてもよく、いずれにしても短い程この所定時間内にアラーム停止用押しボタン９を押すのが難しくなり、所定時間が長い程易しくなる。
この所定時間をＬＥＤ１０が点灯している時間と等しくすると、使用者は所定のＬＥＤ１０が点灯している間に停止操作をすればよいことになる。
【００５９】
この所定時間内に停止操作がないときは、ステップ８からステップ５に戻り、再度所定表示状態を検知することになる。
１２個のＬＥＤ１０は、点滅表示を一定周期で循環して行っており、再び所定表示状態となるので、これを再度検知することができるため、繰り返し停止操作する機会が訪れる。
【００６０】
そしてタイミング良くこの所定時間内に停止操作があると、ステップ７からステップ９に飛び、アラーム音の発生を停止し、さらにＬＥＤ１０の点滅変動表示を停止する（ステップ１０）。
【００６１】
したがって本アラーム付き時計１は設定されたアラーム時刻が到来するとアラーム音を発生すると同時に文字盤２の周囲の１２個のＬＥＤ１０が順次点滅変動表示する。
【００６２】
そして使用者はアラーム音を止めるためには、点滅変動するＬＥＤ１０を注視して設定したアラーム時刻に対応するＬＥＤ１０が点灯したときに速やかにアラーム停止用押しボタン９を押すようにしなければならない。
【００６３】
したがって使用者は、点滅変動するＬＥＤ１０を注視しながらアラーム停止用押しボタン９を押すタイミングを見極め操作する作業によりアラーム時刻に確実に覚醒することができる。
【００６４】
アラーム時計に１２個のＬＥＤ１０とその制御手段を備えるだけでよいので、構造が簡単で小型化でき、コストを低く抑えることができる。
【００６５】
以上の実施の形態では、アラーム停止操作を行うタイミングを決めるＬＥＤ１０の所定表示状態を設定されたアラーム時刻に対応するＬＥＤ１０のみが点灯している表示状態としたが、予め特定のＬＥＤ１０（例えば１２時に対応するＬＥＤ１０）のみが点灯した表示状態に所定表示状態設定手段３４が設定するようにしてもよい。
【００６６】
この特定のＬＥＤ１０だけを他のＬＥＤ１０と異なる色で発光するものとしてもよい。
または、使用者が自由に該所定表示状態を設定できるようにしてもよい。
【００６７】
１２個のＬＥＤ１０の表示方法も順次点滅としたが、順次点灯し、一周すると全部消灯し、次いで再び順次点灯していくようにしてもよい。
さらに１２個のＬＥＤ１０の変動表示の動きに同期してアラーム音を変化させるようにしてもよく、こうすると所定表示状態の表示タイミングをより捉え易く、アラーム停止操作を容易にすることができる。
【００６８】
また一定周期で表示を変動していたので、所定表示状態の表示タイミングを捉え易く、アラーム停止操作を容易にすることができたが、これを不定周期とすることで、所定表示状態の表示タイミングを捉えることが容易ではなくなり、より神経の集中を必要として確実に覚醒を促すことができる。
【００６９】
さらにＬＥＤ１０の数も１２個と限らずに多数個環状に配列して上記のような各種表示制御してもよい。
【００７０】
本アラーム付き時計１は、アラーム制御を制御用マイクロコンピュータ２０により実行していたが、これをデジタル制御回路で実現することができる。
そのデジタル制御回路で構成されたアラーム制御機構４０の構成図を図６に示す。
【００７１】
時計機構としては前記と同じ水晶発振器１２，分周器１３，回転駆動手段１４，指針駆動機構１５からなり、操作子である時刻合せ用円板６，アラーム時刻設定用つまみ７，アラーム設定用切換スイッチ８，アラーム停止用押しボタン９およびアラーム時刻設定用回転センサ２２，アラーム設定用スイッチ回路２３，アラーム停止用スイッチ回路２４およびスピーカ２６は前記アラーム付き時計１と同じであり、ＬＥＤ１０も前記と同じで文字盤６９の周囲に１２個配列されたものである。
【００７２】
そしてアラーム時刻設定用回転センサ２２とアラーム設定用スイッチ回路２３の信号を入力してアラーム時刻設定回路４１がアラーム用レジスタ４２をアラーム時刻の状態に設定する。
【００７３】
一方時計機構の分周器１３からのパルス信号を入力してカウンタ４３が増進して計時を行い、比較回路４４により前記アラーム用レジスタ４２に設定されたアラーム時刻の状態と比較し、アラーム時刻の到来を検知する。
比較回路４４の検知信号はスタート信号として音声ドライバ４５に入力されて、音声ドライバ４５によりスピーカ２６が駆動されアラーム音の発生を開始する。
【００７４】
また比較回路４４の検知信号はリングカウンタ４６にもスタート信号として入力される。
リングカウンタ４６には分周器１３からのパルス信号が入力されて比較回路４４からスタート信号があると増進が開始され、１２個の出力端子にそれぞれ抵抗４７を介して接続され所定電圧に引き上げられた１２個のＬＥＤ１０が順次点滅させるようになっている。
【００７５】
リングカウンタ４６の同じ１２個のＬＥＤ１０の表示状態を指示する出力端子は、別に比較回路４８に入力される。
一方所定表示状態設定回路４９により所定表示状態レジスタ５０にＬＥＤ１０の所定表示状態を示す出力状態が設定され比較回路４８に入力されている。
ここでは１２時に対応するＬＥＤ１０のみが点灯した表示状態を所定表示状態として設定されている。
【００７６】
したがって比較回路４８は、リングカウンタ４６の出力状態（１２個のＬＥＤ１０の表示状態）を監視して所定表示状態レジスタ５０に設定された出力状態と比較してその所定表示状態を検知したら、その検知信号をワンショットタイマー５１に出力する。
【００７７】
ワンショットタイマー５１は、検知信号を入力すると所定時間だけハイレベル電圧Ｈをアンド回路５２の一入力端子に出力する。
アンド回路５２の他の入力端子にはアラーム停止用スイッチ回路２４のアラーム停止操作信号が入力される。
【００７８】
本アラーム制御機構４０は以上のように構成されており、アラーム時刻設定用つまみ７とアラーム設定用切換スイッチ８の操作によりアラーム時刻の状態がアラーム用レジスタ４２に設定され、比較回路４４によりアラーム時刻の到来を検知すると、音声ドライバ４５によりスピーカ２６が駆動されてアラーム音が発生するとともにリングカウンタ４６が作動して１２個のＬＥＤ１０が点滅変動表示する。
【００７９】
したがってアラーム音に起こされた使用者は、順次ＬＥＤ１０が点滅して周回する表示を見ながら１２時に対応するＬＥＤ１０が点灯したときに、アラーム停止用押しボタン９を押す（図７参照）。
【００８０】
１２時に対応するＬＥＤ１０が点灯したとき、その状態を比較回路４８が検知してワンショットタイマー５１が所定時間ハイレベル電圧Ｈとなるので、その所定時間内にアラーム停止用スイッチ回路２４からオン信号があれば、アンド回路５２からストップ信号が音声ドライバ４５とリングカウンタ４６に出力し、スピーカ２６によるアラーム音の発生を停止するとともに、ＬＥＤ１０による点滅変動表示を停止することができる。
【００８１】
この所定時間内にアラーム停止用押しボタン９が押されないと、アンド回路５２からストップ信号が出力しないので、アラーム音の発生とＬＥＤ１０の点滅変動表示は停止せず継続する。
【００８２】
その後再び１２時に対応するＬＥＤ１０が点灯するので、再度アラーム停止用押しボタン９を押してアラーム音の発生とＬＥＤ１０の点滅変動表示を停止させる機会がある。
【００８３】
使用者は、点滅変動するＬＥＤ１０を注視しながらアラーム停止用押しボタン９を押すタイミングを見極め操作する作業によりアラーム時刻に確実に覚醒することができる。
デジタル回路自体簡単な構成で小型でコストも抑えることができる。
【００８４】
外部から所定表示状態を自由に設定できるようにしてもよく、その際は、所定表示状態設定回路４９に対して使用者が入力操作により所定表示状態の指示を与えるようにする。
【００８５】
次に別の実施の形態に係る液晶ディスプレイ６１を備えたアラーム付き時計６０を図８ないし図１０に示し説明する。
本アラーム付き時計６０は、正面の液晶ディスプレイ６１に指針式アナログ時計の文字盤像６２上を時針像６３と分針像６４が回転し、さらにアラーム時刻合せ用針像６５が表示されている。
【００８６】
液晶ディスプレイ６１の下方には時刻合せ用ボタン６６，アラーム時刻設定用ボタン６７等が配置され、アラーム付き時計６０の上面にアラーム停止用ボタン６８とアラーム設定用切換スイッチ６９が設けられている。
【００８７】
本アラーム付き時計６０の制御は液晶ディスプレイ６１の表示制御も含め制御用マイクロコンピュータ７０によって実行されており、図９に示すように時刻合せ用ボタン６６，アラーム時刻設定用ボタン６７，アラーム停止用ボタン６８，アラーム設定用切換スイッチ６９から入力された信号を制御用マイクロコンピュータ７０が処理し音声ドライバ７１に音声制御信号を出力してスピーカ７２を駆動するとともに画像処理回路７３に画像制御信号を出力して液晶ディスプレイ６１に画像を表示させる。
【００８８】
アラームを停止させるタイミングを見る変動表示は、本アラーム付き時計６０では文字盤像６２の１から１２までの数字の形態を順次拡大し（次いで元の形態に縮小し）繰り返し循環させるものである。
図８に示す例では数字「７」が形態を拡大したときの状態を示している。
【００８９】
制御用マイクロコンピュータ７０によるアラーム制御の手順を図１０に示す。
同制御手順は、前記図５の制御手順と基本的に同じであって、一部ステップ２４において数字形態の順次変更表示が開始されることおよびステップ３０において数字形態の順次変更表示が停止されることが異なる。
【００９０】
したがって設定されたアラーム時刻が到来すると（ステップ２２）、アラーム音を発生する（ステップ２３）と同時に液晶ディスプレイ６１の文字盤像６２上の数字の形態が順次拡大し（次いで元の形態に縮小し）て変動表示する（ステップ２４）ので、使用者はアラーム時刻に相当する数字の形態が拡大したときに（ステップ２５）、その後所定時間内にアラーム停止用ボタン６８を押す（ステップ２７）。
【００９１】
成功すればアラーム音が停止する（ステップ２９）とともに、数字形態の変動表示も停止する（ステップ３０）が、失敗すると再びアラーム時刻に相当する数字の形態が拡大するときを待ってアラーム停止用ボタン６８を押すことになる。
【００９２】
したがって使用者は、液晶ディスプレイ６１の順次拡大表示される数字を注視しながらアラーム停止用押しボタン６８押すタイミングを見極め操作する作業によりアラーム時刻に確実に覚醒することができる。
【００９３】
ここでは数字の形態を拡大するものであったが、色彩や形状を変更するようにしてもよい。
【００９４】
次に指針式でない数字表示のデジタル時計であるアラーム付きデジタル時計８０について図１１ないし図１３に基づき説明する。
本アラーム付きデジタル時計８０は、液晶ディスプレイ８１にＡＭ／ＰＭ表示と時刻が数字で表示される。
【００９５】
前記実施の形態のアラーム時計６０と同じく液晶ディスプレイ８１の下方には時刻合せ用ボタン８２，アラーム時刻設定用ボタン８３等が配置され、アラーム付きデジタル時計８０の上面にアラーム停止用ボタン８４とアラーム設定用切換スイッチ８５が設けられている。
【００９６】
制御系の構成も前記図９と同じであるが、本アラーム付きデジタル時計８０ではアラームを停止させるタイミングを見る変動表示は、時刻を表示する数字が時刻表示より速い速度で順次変更表示されるものである。
【００９７】
本アラーム付きデジタル時計８０のアラーム制御の制御手順を図１３に示すが、基本的には前記実施の形態のものと同じである。
設定されたアラーム時刻が到来すると（ステップ４２）、アラーム音を発生する（ステップ４３）と同時に図１２に示すように設定したアラーム時刻を一部に表示し（ステップ４４）、数字を高速度で順次変更表示する（ステップ４５）。
【００９８】
したがって使用者は液晶ディスプレイ８１の一部に表示されたアラーム時刻に相当する数字が表示された所定表示状態のときに（ステップ４６）、その後所定時間内に（ステップ４９）アラーム停止用ボタン８４を押す（ステップ４８）。
【００９９】
成功すればアラーム音が停止する（ステップ５０）とともに、数字変更表示も停止する（ステップ５１）が、失敗すると再びアラーム時刻に相当する数字が表示されるときを待ってアラーム停止用ボタン８４を押すことになる。
【０１００】
したがって使用者は、液晶ディスプレイ８１の時刻表示の数字が高速度で変更表示されるのを注視しながらアラーム停止用押しボタン８４を押すタイミングを見極め操作する作業によりアラーム時刻に確実に覚醒することができる。
【０１０１】
本アラーム付きデジタル時計８０では、アラーム時刻になって数字が変動表示されるときは、設定したアラーム時刻が表示されるの、設定したアラーム時刻を忘れたり、間違えたりすることがない。
【図面の簡単な説明】
【図１】本発明の一実施の形態に係るアラーム付き時計の正面図である。
【図２】同裏面図である。
【図３】同アラーム付き時計の制御系のブロック図である。
【図４】同制御系の機能説明図である。
【図５】同制御系におけるアラーム制御の制御手順を示すフローチャートである。
【図６】別の実施の形態に係るアラーム制御機構の構成図である。
【図７】同実施の形態のアラーム付き時計の正面図である。
【図８】また別の実施の形態のアラーム付き時計の正面図である。
【図９】同アラーム付き時計の制御系のブロック図である。
【図１０】同制御系におけるアラーム制御の制御手順を示すフローチャートである。
【図１１】さらに別の実施の形態のアラーム付きデジタル時計の正面図である。
【図１２】別の表示状態の同アラーム付きデジタル時計の正面図である。
【図１３】同アラーム付きデジタル時計のアラーム制御の制御手順を示すフローチャートである。
【符号の説明】
１…アラーム付き時計、２…文字盤、３…時針、４…分針、５…アラーム時刻設定用針、６…時刻合せ用円板、７…アラーム時刻設定用つまみ、８…アラーム設定用切換スイッチ、９…アラーム停止用押しボタン、１０…ＬＥＤ、１２…水晶発振器、１３…分周器、１４…回転駆動手段、１５…指針駆動機構、
２０…制御用マイクロコンピュータ、２１…時刻合せ用回転センサ、２２…アラーム時刻設定用回転センサ、２３…アラーム設定用スイッチ回路、２４…アラーム停止用スイッチ回路、２５…音声ドライバ、２６…スピーカ、２７…表示ドライバ、
３１…アラーム設定手段、３２…アラーム音発生制御手段、３３…ＬＥＤ点滅表示制御手段、３４…所定表示状態設定手段、３５…所定表示状態検知手段、３６…判断手段、３７…アラーム停止制御手段、
４０…アラーム制御機構、４１…アラーム時刻設定回路、４２…アラーム用レジスタ、４３…カウンタ、４４…比較回路、４５…音声ドライバ、４６…リングカウンタ、４７…抵抗、４８…比較回路、４９…所定表示状態設定回路、５０…所定表示状態レジスタ、５１…ワンショットタイマー、５２…アンド回路、
６０…アラーム付き時計、６１…液晶ディスプレイ、６２…文字盤像、６３…時針像、６４…分針像、６５…アラーム時刻合せ用針像、６６…時刻合せ用ボタン、６７…アラーム時刻設定用ボタン、６８…アラーム停止用ボタン、６９…アラーム設定用切換スイッチ、７０…制御用マイクロコンピュータ、７１…音声ドライバ、７２…スピーカ、７３…画像処理回路、
８０…アラーム付きデジタル時計、８１…液晶ディスプレイ、８２…時刻合せ用ボタン、８３…アラーム時刻設定用ボタン、８４…アラーム停止用ボタン、８５…アラーム設定用切換スイッチ。
【図１】
2004093328.tif 000003
【図２】
2004093328.tif 000004
【図３】
2004093328.tif 000005
【図４】
2004093328.tif 000006
【図５】
2004093328.tif 000007
【図６】
2004093328.tif 000008
【図７】
2004093328.tif 000009
【図８】
2004093328.tif 000010
【図９】
2004093328.tif 000011
【図１０】
2004093328.tif 000012
【図１１】
2004093328.tif 000013
【図１２】
2004093328.tif 000014
【図１３】
2004093328.tif 000015